(57)【要約】アダプタ（１０）とブシュ（２０）とを含む取付け具であって、二つの構成要素（７０、８０）を連結するための取付け具（１０、２０）が提供される。アダプタは、ねじ付き端部（１２）と、めすカラー（１４）とを含む。ブシュは、アダプタの内側に係合するように適応した滑らかなおす端部（２４）とねじ付き端部（２２）とストッパ・ショルダー（２７）とを含む。アダプタのめすカラーは、アダプタをブシュに係合して固定するためのねじ（５０）を備えている。
2004520789.tif 000002
【特許請求の範囲】
【請求項１】
第１の構成要素を第２の構成要素に連結するための取付け具であって、前記取付け具は、
前記第１の構成要素にねじ係合するためのねじ付き端部と、外径を有する滑らかなおす端部とを有するブシュと、
前記第２の構成要素にねじ係合するためのねじ付き端部と、めすカラー端部とを有しかつ内径を有し、前記ブシュの前記滑らかなおす端部を受け入れるアダプタと、
前記ブシュの滑らかなおす端部が前記アダプタに挿入されるときに前記アダプタを前記ブシュに連結する固定機構とを含み、
前記ブシュの外径が前記アダプタの内径と密に連通して、防爆取付けを作り出すように火炎経路を画定することを特徴とする、前記取付け具。
【請求項２】
前記固定機構は、
前記ブシュの外周に沿って形成された溝と、
前記アダプタのカラーを貫通して半径方向に挿入されるねじであって、前記アダプタが前記ブシュの周りに回転することを可能にする前記ブシュの溝に係合するねじの先端を有する前記ねじと、
を更に含むことを特徴とする、請求項１に記載の取付け具。
【請求項３】
前記ねじの先端は、前記アダプタを前記ブシュに固く取り付けるように前記溝にねじ込まれることを特徴とする、請求項２に記載の取付け具。
【請求項４】
前記ねじの軸に垂直なカラーに挿入されて前記ねじの先端が前記溝から取り外されるのを防止するピン・ドエルを更に含むことを特徴とする、請求項２に記載の取付け具。
【請求項５】
前記固定機構は、前記アダプタのカラー端部に連結され前記アダプタを前記ブシュの軸方向には固定するように前記ブシュの周りに締め付けられるＣクランプをさらに含むことを特徴とする、請求項１に記載の取付け具。
【請求項６】
前記固定機構は前記ブシュ上のストッパに前記アダプタを接続するように前記アダプタのカラーに連結されるクリップをさらに含むことを特徴とする、請求項１に記載の取付け具。
【請求項７】
前記固定機構は前記ブシュの外周に沿って形成された溝に挿入されるガスケットをさらに含むことを特徴とする、請求項１に記載の取付け具。
【請求項８】
前記固定機構は前記ブシュの外周に沿って形成された溝に係合するカラーの内径上の内側溝によって形成されるギャップに挿入されるＣクランプをさらに含むことを特徴とする、請求項１に記載の取付け具。
【請求項９】
前記固定機構は前記ブシュ上のストッパの周囲に取り付けられる金属リングをさらに含んでおり、前記アダプタのカラーは前記金属リングに連結する、内周に沿って形成された溝を有していることを特徴とする、請求項１に記載の取付け具。
【請求項１０】
前記ブシュの外周に沿ったスロットに挿入されるガスケットであって、水密の取付けを与えるガスケットを更に含むことを特徴とする、請求項１に記載の取付け具。
【請求項１１】
前記ガスケットはＯリングであることを特徴とする、請求項１０に記載の取付け具。
【請求項１２】
前記火炎経路は、前記取り付け具の軸方向長さに沿って０．６”であることを特徴とする、請求項１に記載の取付け具。
【請求項１３】
前記ブシュは前記ブシュの滑らかなおす端部が前記アダプタに挿入されるときに前記アダプタのカラーに接触するストッパをさらに含むことを特徴とする、請求項１に記載の取付け具。
【請求項１４】
前記ストッパはレンチが前記第１の構成要素に前記取り付け具を締付け固定することを可能にする六角形の周囲をさらに含むことを特徴とする、請求項１３に記載の取付け具。
【請求項１５】
前記アダプタのねじ付き端部は面取りをさらに含むことを特徴とする、請求項１に記載の取付け具。
【請求項１６】
前記ブシュのねじ付き端部は面取りをさらに含むことを特徴とする、請求項１に記載の取付け具。
【請求項１７】
前記カラーは工具が前記取付け具を前記第２の構成要素に締付け固定することを可能にするレンチ・ランドをさらに含むことを特徴とする、請求項１に記載の取付け具。
【請求項１８】
前記カラーはカラーの内径を前記カラーの外径と流体的に連通させる環状アクセスをさらに含み、前記取付け具をさらにシールするように環状アクセス内に障壁材料を挿入することを特徴とする、請求項１に記載の取付け具。
【請求項１９】
第１の構成要素を第２の構成要素に連結する方法であって、前記方法は、
第１の構成要素を第２の構成要素に連結するための取付け具を設けるステップであって、前記取付け具は、
前記第１の構成要素にねじ係合するためのねじ付き端部と、外径を有する滑らかなおす端部とを有するブシュと、
前記第２の構成要素にねじ係合するためのねじ付き端部と、めすカラー端部とを有し、内径を有し、前記ブシュの前記滑らかなおす端部を受け入れるアダプタと、
前記ブシュの滑らかなおす端部が前記アダプタに挿入されときに前記アダプタを前記ブシュに連結する固定機構とを含み、
前記ブシュの外径が前記アダプタの内径と密に連通して、防爆取付けを作り出すように火炎経路を画定する前記取付け具を設けるステップと、
前記取付け具を前記第１の構成要素にねじ係合するように前記ブシュを回転させるステップと、
前記取付け具を前記第２の構成要素にねじ係合するように前記アダプタを回転させるステップと、
を含むことを特徴とする前記方法。
【請求項２０】
第１の電気導管を第２の電気導管に連結するための防爆取り付け具であって、前記取付け具は、
前記第１の電気導管にねじ係合するためのねじ付き端部と、外径を有する滑らかなおす端部とを有するブシュと、
前記第２の電気導管にねじ係合するためのねじ付き端部と、めすカラー端部とを有し、内径を有し、前記ブシュの前記滑らかなおす端部を受け入れるアダプタと、
前記ブシュの滑らかなおす端部が前記アダプタに挿入されるときに前記アダプタを前記ブシュに連結する固定機構であって、前記ブシュの外周に沿って形成された溝と、前記アダプタのカラーを貫通して半径方向に挿入されるねじであって、前記アダプタが前記ブシュの周りに回転することを可能にする前記ブシュの溝に係合する先端を有する前記ねじとを有する固定機構とを含み、
前記ブシュの外径が前記アダプタの内径と密に連通して、防爆取付けを作り出すように火炎経路を画定しており、前記火炎経路は前記取付け具の軸方向長さに沿って０．６”の長さを有しており、前記ブシュは前記ブシュの滑らかなおす端部が前記アダプタに挿入されるときに前記アダプタのカラーに接触するストッパを有しており、前記ストッパはレンチが前記取付け具を前記第１の構成要素に締付け固定することを可能にする六角形の周囲を有しており、
更に前記取り付け具は、
前記ねじの軸に垂直なカラーに挿入されて前記ねじの先端が前記溝から取り外されるのを防止するピン・ドエルと、
前記ブシュの外径に沿ったスロットに挿入される、水密の取付けを与えるＯリングとを含み、
前記アダプタのねじ付き端部は第１の面取りを有しており、前記ブシュのねじ付き端部は第２の面取りを有しており、前記カラーは工具が前記取付け具を前記第２の構成要素に締付け固定することを可能にするレンチ・ランドを有しており、前記カラーは前記取付け具をさらにシールするように環状アクセス内に障壁材料を挿入するためにカラーの内径を前記カラーの外径と流体的に連通させる前記環状アクセスを有している、ことを特徴とする、前記防爆取付け具。
【請求項２１】
第１の構成要素を第２の構成要素に連結するための取付け具であって、前記取付け具は、
前記第１の構成要素にねじ係合するためのねじ付き端部と、外径を有する滑らかなおす端部とを有するブシュと、
前記第２の構成要素にねじ係合するためのねじ付き端部と、めすカラー端部とを有し、内径を有し、前記ブシュの前記滑らかなおす端部を受け入れるアダプタと、
前記ブシュの滑らかなおす端部が前記アダプタに挿入されるときに前記アダプタを前記ブシュに連結する固定機構とを含み、
前記ブシュの外径が内径と連通していることを特徴とする、前記取付け具。
【発明の詳細な説明】
【０００１】
（技術分野）
本発明は、二つの構成要素を連結するための取付け具に関する。特に本発明は、電気導管のような二つの電気的構成要素を接合する防爆取付け具に関する。
【０００２】
（関連技術の説明）
作業場では危険な環境で電気導体あるいは電線を走らせることがしばしば必要になる。危険は、引火性の液体、気体、蒸気、可燃性のほこり、あるいは発火性の繊維などの発火可能な量の存在の可能性によって生じる。危険な作業環境の例としては、揮発しやすい引火性の液体をある容器から別の容器に移し替える場所、スプレイ室の内部、揮発しやすい引火性溶媒か使用されるスプレイ塗装の作業場付近、揚穀エレベータ内といった危険濃度の浮遊ダストがある可能性が高い場所、ガソリン・スタンドなどがあるが、これらに限定されることはない。
【０００３】
危険な場所は、増大する火災の可能性から保護するために特別に設計された電気設備を必要とする。これらの危険な作業場に電気導体または電線を走らせるためには、電気導体あるいは電線は電気導管内に入れられる。特に、導管は、電気ショートやアークや強烈な熱が火災を引き起こす環境に入るのを防止する。さらに、危険な作業場でこれらの電気導管を連結する取付け具は、「防爆性」でなくてはならない。「米国電気規約」（Ｎａｔｉｏｎａｌ  Ｅｌｅｃｔｒｉｃ  Ｃｏｄｅ）の第５０１−５節、第５０１条；「米国電機製造業者協会」（Ｎａｔｉｏｎａｌ  Ｅｌｅｃｔｒｉｃａｌ  Ｍａｎｕｆａｃｔｕｒｅｒｓ  Ａｓｓｏｃｉａｔｉｏｎ）（「ＮＥＭＡ」）ＩＣＳ６−１９９３（表題「エンクロージャ」（Ｅｎｃｌｏｓｕｒｅｓ））およびＮＥＭＡ  Ｃｌａｓｓ４−１３；「全米規格協会」（Ａｍｅｒｉｃａｎ  Ｎａｔｉｏｎａｌ  Ｓｔａｎｄａｒｄｓ  Ｉｎｓｔｉｔｕｔｅ）（「ＡＮＳＩ」）；「保険業者研究所」（ＵＮＤＥＲＷＲＩＴＥＲ’Ｓ  ＬＡＢＯＲＡＴＯＲＩＥＳ  ＩＮＣ．，）、ＵＬ８８６および１００２といった多数の規格が危険な環境で使用される防爆電気部品を規定している。適切に設置されて保守されている防爆装置を利用すれば、電気導管や電気部品内部の強烈な熱やアークがそれらの周りの危険な環境空気を発火させることはないであろう。
【０００４】
ソレノイドといった電気システム内の部品の多くは日常的な定期保守を必要とする。したがって取付け具は迅速かつ簡単かつ容易に取付け、取外しができて、しかもなお防爆連結を維持することが望まれる。
【０００５】
さらに、電気システム内の導管のいくつかは、一つの場所に永久的に取り付けられる可能性がある。したがって一つの導管を交代して取付け具または他の導管に取り付けることができない可能性がある。したがって一つの導管または両方の導管が交代できない場合でも二つの導管を迅速かつ容易に取り付けることのできる防爆取付け具の必要性が存在する。これは特に、定期保守を必要とする構成要素を有する電気システムにおいて真実である。
【０００６】
「管取付け装置」（Ｐｉｐｅ  Ｆｉｔｔｉｎｇ  Ｄｅｖｉｃｅ」と題する、ラジョイエら（Ｌａｊｏｉｅ  ｅｔ  ａｌ．，）に与えられた米国特許第３，９７９，８１４号は、一つの導管をもう一つの導管に迅速に取り付けるためのクランプを記述している。さらに「管取付け具」（Ｐｉｐｅ  Ｆｉｔｔｉｎｇ）と題する、サカ（Ｓａｋａ）に与えられた米国特許第４，０１８，４６２号は、導管の一部分を変形させて一つの導管をもう一つの導管にシールすることを説明している。しかしながら二つの導管を連結するためのこれらの簡単で比較的迅速な方法は、アークに起因する火炎が周囲の環境空気に到達するのを防止するために十分に導管をシールできないので、危険な環境での使用には不適当である。
【０００７】
ベリー（Ｂｅｒｒｙ）に与えられた米国特許第４，８４０，１９４号は、二つの電気導管を連結するための４個のサブエレメントを有する封止取付け具を説明している。このＢｅｒｒｙ取付け具は、シールされており、したがって障壁材料で取付け具をシールすることによって防爆性にされている。しかしながら障壁材料を含むことは特に、Ｂｅｒｒｙで説明されているように、シールしなくてはならない多数の空隙を考慮すると、不正確な手法であることが分かっている。さらに、Ｂｅｒｒｙ取付け具の再使用は、再使用の前に取付け具を分解して洗浄することを必要とする。このタイプの構成は連結された構成要素の日常的保守を完了するための費用と時間とを増加させる可能性があることが分かっている。最後に、４個の異なる取付け部品の位置合わせは、現場で行うのが容易でなく、したがって電気システムの日常保守を行う時間と費用とを増加させる。
【０００８】
（発明の概要）
本発明の一実施形態では、第１の構成要素を第２の構成要素に連結するための取付け具が提供される。この取付け具は、第１の構成要素をねじ係合するためのねじ付き端部と、外径を有する滑らかなおす端部とを有するブシュを含んでいる。アダプタは、前記第２の構成要素をねじ係合するためのねじ付き端部と、めすカラー端部とを有していると述べられる。このアダプタは、内径を有し、前記ブシュの前記滑らかなおす端部を受け入れる。このアダプタはまた、前記ブシュの滑らかなおす端部が前記アダプタに挿入されるときに前記アダプタを前記ブシュに連結する固定機構を有している。前記ブシュの外径は、アダプタの内径と密に連通していて、防爆取付けを作り出すように火炎経路を画定する。いくつかの実施形態では、この固定機構は一つの溝を更に有している。この溝は、前記ブシュの外周に沿って形成されている。先端を有するねじが前記アダプタのカラーを貫通して半径方向に挿入される。このねじの先端は、前記アダプタが前記ブシュの周りに回転することを可能にする前記ブシュの溝に係合する。いくつかの実施形態では、前記ねじの先端は、前記アダプタを前記ブシュに固く取り付けるように前記溝にねじ込まれる。
【０００９】
他の実施形態では、第１の構成要素を第２の構成要素に連結する方法が説明される。この方法は、第１の構成要素を第２の構成要素に連結するための取付け具を設けるステップを含んでおり、前記取付け具は前述の特徴を有している。この方法は、前記取付け具を前記第１の構成要素にねじ係合するために前記ブシュを回転させるステップを含んでいる。この方法はまた、前記取付け具を前記第２の構成要素にねじ係合するために前記アダプタを回転させるステップを含んでいる。
【００１０】
他の態様では、第１の構成要素を第２の構成要素に連結するための取付け具が説明される。この取付け具は、第１の構成要素をねじ係合するためのねじ付き端部と、外径を有する滑らかなおす端部とを有するブシュを含んでいる。アダプタは、前記第２の構成要素をねじ係合するためのねじ付き端部を有していると説明される。このアダプタはまた、めすカラー端部と内径とを有している。このアダプタは、前記ブシュの滑らかなおす端部を受け入れる。このアダプタはまた、前記ブシュの滑らかなおす端部が前記アダプタに挿入されるときに前記アダプタを前記ブシュに連結する固定機構を有している。
【００１１】
本発明は、種々の修正と代替形態とを持つことが可能であるが、ここでは、いくつかの特定の実施形態がいくつかの図面により例として示されており、詳細に説明される。しかしながら本発明が開示されるいくつかの特定の形態に限定されることを意図していないことは理解すべきである。反対に、その意図は、付属の請求項に記載の本発明の精神と範囲とに入るすべての修正、同等手段、代替手段を含むことである。
【００１２】
（例示的実施形態の説明）
本発明は、電気導管といった第１の構成要素を他の電気導管といった他の構成要素に連結するための取付け具と方法とに関する。本発明のいくつかの実施形態では、ブシュとアダプタと固定機構とが設けられる。ブシュは第１の構成要素を係合するためのねじ付き端部を有しており、アダプタは第２の構成要素を係合するためのねじ付き端部を有している。アダプタはまた、外径を有するブシュの滑らかなおす端部を受け入れるための内径を有するめすカラー端部を有している。これらの実施形態では、このカラーは典型的には、アダプタをブシュに軸方向に連結するがブシュとアダプタとの間の回転運動を可能にする固定機構を有している。この仕方で取付け具は、固定された、すなわち回転不能な構成要素に迅速かつ容易に取り付けることができる。さらに、ブシュの滑らかなおす端部がアダプタに挿入されるので、防爆取付けを作り出すのに十分な火炎経路が画定される。こうして、種々の規格の防爆要件を満たしながら、電気システムの種々の構成要素の設置と保守を行うことができる。さらに、取付け具の設置と取り外しが取付け具のギャップを埋める障壁材料を使用せずに実施できるので、設置と取り外しは、取付け具の防爆状態の完全性を低下させることなく繰り返し行うことができる。これは、現在知られている取付け具よりも迅速かつ容易な電気システムの保守を可能にする。
【００１３】
防爆取付け具を提供する多機能性を備える本発明では、種々の固定機構が使用できる。さらに、ガスケットの使用が説明され、これが防爆取付け具の水密環境での使用を可能にし、あるいは爆発性の流体の流れでの使用を可能にしている。
【００１４】
取付け具の取付け、取外しプロセスをさらに容易にするためにレンチを取り付けるレンチ・ランドと六角形のストッパとが説明されており、これにより種々の構成要素の取付けと保守とに関連する時間と費用とが削減される。
【００１５】
本発明の種々の実施形態の各々で、取付け、取り外しの容易な防爆取付け具を使う利点が利用されている。こうして電気システムの設置と保守とに関連する費用と時間とが削減される。
【００１６】
本発明の例示的実施形態は、電気導管といった一つの構成要素を他の構成要素に連結するために使われるものとして、下記に説明される。分かりやすくするために、この明細書では実際に実施される際の特徴のすべては説明されない。このような実際の実施形態の開発においては、個々の実施によって変わるであろうシステム関連およびビジネス関連の制約に従うような開発者固有の目標を達成するために、非常に多くの実施形態固有の決定をしなくてはならないことが認められるのは言うまでもない。さらにこのような開発努力は複雑で時間がかかるであろうが、それにもかかわらずこの開示の恩恵を受ける当業者の日常的な仕事になると理解されるであろう。
【００１７】
本発明の種々の実施形態の更なる態様と利点は、下記の説明と図面とを考慮すれば明らかになるであろう。下記の図に示す各々の構成要素は、ステンレス鋼その他の適切な材料からなり、たとえばＡＮＳＩ  Ｂ１８．６．７Ｍにしたがって製造できる。一般に、取付け面は、ＡＮＳＩ  Ｂ４６．１−１９７８、「表面テクスチャー規格」（Ｓｔａｎｄａｒｄ  ｆｏｒ  Ｓｕｒｆａｃｅ  Ｔｅｘｔｕｒｅ）にしたがって２５０マイクロインチ以下の平均粗さを有している。
【００１８】
図１Ａから１Ｃを参照すると、アダプタ１０はねじ付き端部１２と、めすカラー端部１４を含むことが示されている。例として８個のねじ山が示されている。アダプタの内径１６は、公差＋０．００５”、−０．０００”を有する０．７５００”でもよい。
【００１９】
カラー１４は、２個のねじ５０を半径方向（放射方向）に挿入するための２個のねじ穴を有することが示されている。図１Ｂ、１Ｃに示すようにカラー１４はまた、ねじ５０の軸に垂直でアダプタ１０の軸に平行に２個のピン・ドエル４０が挿入される２個の軸方向の穴１１を有している。カラー１４は、１．７５”の外径を有し、垂直軸から０．９５”ずれていて水平軸から０．６３”ずれているピン・ドエル４０の穴１１をもっていることが示されている。カラー１４は、レンチ・ランド１８を有していることが示されている。
【００２０】
今度は図２ＡからＤを参照すると、本発明の一実施形態のブシュ２０は、ねじ付き端部２２と滑らかなおす端部２４とを有することが示されている。ねじ付き端部２２は、０．０６”×４５°の面取り２３を有することが示されている。滑らかなおす端部２４は、０．０２”×４５°の面取り２５を有することが示されている。滑らかなおす端部２４の外径２６は、典型的には公差＋０．００００、−０．００５”を有する０．７４９５”である。
【００２１】
またガスケット・スロット２８と溝２９とストッパ２７も示されている。ストッパ２７は、図示のように六角形でもよく、その他いかなる形の周囲を有しもよい。
【００２２】
図３ＡからＣを参照すると、ねじ５０は、ねじ頭５２とねじ山５６とねじ先端５４とを有していることが示されている。ねじ５０は、頭５２と先端５４とに４５°の面取りを有する標準の肩付きねじであってよい。
【００２３】
図４Ａから４Ｄを参照すると、本発明の一実施形態は、その組立て済み状態で示されている。取付け具１００は、ブシュ２０の滑らかなおす端部２４を受け入れるアダプタ１０からなることが示されている。固定機構は、図４Ａに示すようにブシュ２０がアダプタ１０に挿入される間に、アダプタ１０をブシュ２０に連結することが示されている。この実施形態では、固定機構は、カラー１４のねじ穴に挿入される肩付きねじ５０を含んでいる。ねじ先端５４は、ブシュ２０の溝２９と整合している。いくつかの実施形態では、ねじ先端５４は、アダプタ１０に対するブシュ２０の軸方向の動きを実質的に最小にしているが、ブシュ２０とアダプタ１０との間の回転方向の動きは可能にしている。いくつかの実施形態では、ねじ５０は、ねじ５０のねじ山５６がブシュ２０の溝２９の上端に接触するようにブシュ２０内にねじ込まれる。ねじ山５６が溝２９の上端に接触すると、ブシュ２０とアダプタ１０は、相対的に軸方向、回転方向ともに動くことが実質的に防止される。
【００２４】
他の実施形態では図５Ａに示すように固定機構は、ピボット的にカラー１４に連結されてブシュ２０上のストッパ２７に接触し、これによって実質的にアダプタ１０に対するブシュ２０の軸方向の動きを減らすクリップ８８から構成されてもよい。締付け力を増加させることによって、アダプタ１０に対するブシュ２０の回転方向の動きを実質的に減らすこともできる。いくつかの実施形態では、図５Ｂに示すように、固定機構は、ストッパ２７の周囲に結合される金属リング８９を含むことができる。金属リング８９を取り囲むように、アダプタ１０のカラー１４に溝８９を有するリップを押し込むことができる。このように、ブシュ２０とアダプタ１０との間の軸方向の相対的な動きは、実質的に減らされる。しかしながらこれら両者間の回転方向の相対的な動きは可能である。
【００２５】
いくつかの実施形態では、図６Ａから６Ｃに示すように、固定機構は、アダプタ１０に結合されるＣクランプ８９から構成することもでき、Ｃクランプをブシュ２０の溝９６に入れてアダプタ１０をブシュ２０に結合し、こうして実質的に軸方向の相対的な動きを減らしている。Ｃクランプ８９の保持力を増加させることによって、回転方向の動きも実質的に減らすことができる。
【００２６】
他の実施形態では固定機構は、前述の固定機能を実行するために、単純に言って、何個の固定機構を利用してもよい。
【００２７】
図４ＡからＤに戻って、ピン・ドエル４０は、ピン・ドエル４０の軸がブシュ２０とアダプタ１０の軸と平行に走るようにカラー１４のピン・ドエル穴１１に収まるように示されている。ピン・ドエル４０は、ねじ５０がカラー１４から取り外されるのを防止するために、ねじ５０に極めて近接して配置される。ねじ５０がカラー１４から抜け出る方向に回されると、最終的にねじ山５６がピン・ドエル４０に接触して、カラー１４に対するねじ５０のそれ以上の回転を防止する。これは、ねじ５０がアダプタ１０から分離するのを防止している。
【００２８】
また図４ＡからＤに示すようにブシュ２０のスロット２８内にガスケット３０が配置されている。ガスケット３０は、ブシュ２０とアダプタ１０との間に水密シールを作り出す、たとえばＯリングであってよい。スロット２８内に配置されたガスケット３０は前述の固定機構としても機能できることは言及しておくべきである。このようにしてガスケットは、固定機能とシール機能とを実行できるであろう。
【００２９】
また図４Ａから４Ｄには、アダプタ１０上にストッパ２７が示されている。ブシュ２０がアダプタ１０内にその固定位置まで挿入されると、アダプタ１０のカラー端部１４はストッパ２７に接触して、火炎が取付け具から周囲に漏れ出すのを防止する更なる手助けとなる。この実施形態ではストッパ２７は、レンチによるブシュ２０の回転（ここに述べられている）を容易にするために六角形に作られていることが示されている。
【００３０】
図示のようにブシュ２０の滑らかなおす端部２４がアダプタ１０に挿入されると、ブシュ２０の外径２６は、アダプタ１０の内径１６と密に連通して火炎経路６０を画定する。典型的には火炎経路６０は、この特定の取付け具１００に関しては、図示のように０．６”の長さである。前述のように内径１６は＋０．０００５”（０．５ミル）、−０．００００”の公差を有する０．７５００”であり、外径２６は＋０．００００、−０．０００５” （０．５ミル）の公差を有する０．７４９５”であって、内径１６と外径２６との間に１．５ミル（０．００１５”）の最大ギャップを決定する。内径１６と外径２６との間のより大きなギャップのためには、取付け具１００がＵＬ８８６規格の下で防爆性を維持することを保障するように、ブシュ２０の滑らかなおす端部２４に沿った火炎経路６０の長さを増加させるべきである。防爆取付けを作り出すために、いかなる数の構成も可能である。本発明の実施形態は、下記のように示される：
【表１】
2004520789.tif 000003
【００３１】
取付け具１００は障壁材料を使用せずに防爆性となっているが、いくつかの実施形態ではカラー１４は、図７に示すように障壁材料の挿入のための環状アクセス（進入路）９２をさらに含んでいる。環状アクセス（進入路）９２は、ピン・ドエル穴１１と平行に延びている。この環状アクセス９２に障壁材料を挿入することにより、障壁材料がねじ５０のねじ山５６の周りを通ってアダプタ１０とブシュ２０との間に入り、火炎や火花が取付け具１００から漏れ出るのを更に防止する。更に環状アクセス９２は、所定の場所に障壁材料を拡散するためにカラー１４のどこにでも配置できる。たとえば環状アクセス９２は、アダプタ１０とブシュ２０とが結合されたときにブシュのストッパ２７がカラー１４に接触する場所に隣接してカラー１４上に配置できる。こうして障壁材料は、アダプタとブシュとの間の領域に挿入できる。
【００３２】
図８Ａから８Ｃを参照すると、本発明の一実施形態の設置が段階的に示されている。図８Ａは、ねじ付き端部７６を有する第１の構成要素（ここでは例えば電気導管７０）を通って延びる電線８２、８４を示す。電線８２、８４はまた、第２の構成要素（ここでは例えば電気導管８０）を通って延びていることが示されている。図８Ｂは、第１の構成要素７０、電気導管のねじ付き端部７６をねじ係合するブシュ２０のねじ付き端部２２を示す。アダプタ１０のねじ付き端部１２は、第２の構成要素８０、電気導管のねじ付き端部８６にねじ係合していることが示されている。ＵＬ８８６のような防爆連結仕様を満たすためには、一般に５から７回転の係合が必要とされる。
【００３３】
図８Ｃは、ブシュ２０の滑らかなおす端部２４を受け入れるアダプタ１０を示す。一旦この滑らかなおす端部２４がアダプタ１０内に完全に挿入されると、カラー１４内のねじ５０は、ねじの先端５４がブシュ２０の溝２９に接触してブシュ２０とアダプタ１０との間の軸方向の動きを減らすように締付け固定される。
【００３４】
固定機構は、いくつかの実施形態では、ブシュ２０とアダプタ１０との間の回転を可能にするが軸方向の動きを実質的に減らすことに留意すべきである。したがってこの許された回転の動きはまた、回転できない構成要素、すなわち固定された構成要素の周りをアダプタ１０とブシュ２０とが回転することを可能にするということが理解されるであろう。レンチは、アダプタ１０上のカラー１４のレンチ・ランド１８に置かれて第２の構成要素８０とのねじ係合のためにアダプタ１０を第２の構成要素８０の周りに回転できる。更にレンチは、六角形のストッパ２７の上に置かれて第１の構成要素７０とのねじ係合のためにブシュ２０を回転させることもできる。このようにして取付け具１００の電気システムへの挿入は、容易にされる。
【００３５】
この組み立ての容易さは、防爆取付けを与えながら、二つの構成要素を連結する取付け具の迅速かつ容易な取付けおよび取外しを可能にしている。
【００３６】
これらの構成要素は、いくつかの実施形態では電気導管であるとして示されているが、電気ボックス、ソレノイド、その他いかなるタイプを含む構成要素をも含むことができる。更に導管８０、９０が、おねじのねじ山を有し、取付け具１００が、めねじのねじ山を有しているとして示されているが、取付け具１００は、めねじのねじ山を有する構成要素８０または９０と係合するいずれかの端部におねじのねじ山を有することもできる。
【００３７】
更に図示の構成要素８０または９０の直径は異なっているが、取り付け具１００は、ブシュ２６のねじ付き端部２２の外径がアダプタ１０のねじ付き端部１２外径に等しいか、より小さいか、より大きいように構成することもできる。
【００３８】
前述の防爆取付け具はまた、一つの構成要素あるいは導管をもう一つの導管と流体的に連通させるために利用でき、それによって爆発性の気体が一つの構成要素あるいは導管から他の構成要素あるいは導管に流れることを可能にしている。この取付け具の防爆特性は、例えば危険な液体または気体がパイプラインを安全に流れることを可能にするであろう。
【００３９】
種々の実施形態が示されて説明されたが、本発明はそれだけには限定されず、当業者に明らかな修正と変形のすべてを含むと理解される。
【図面の簡単な説明】
【図１Ａ】
本発明の一実施形態のアダプタの側面図である。
【図１Ｂ】
本発明の一実施形態のアダプタの正面図である。
【図１Ｃ】
本発明の一実施形態のアダプタの斜視図である。
【図２Ａ】
本発明の一実施形態のブシュの断面側面図である。
【図２Ｂ】
本発明の一実施形態のブシュの側面図である。
【図２Ｃ】
本発明の一実施形態のブシュの正面図である。
【図２Ｄ】
本発明の一実施形態のブシュの斜視図である。
【図３Ａ】
本発明の一実施形態のねじの側面図である。
【図３Ｂ】
本発明の一実施形態のねじの上面図である。
【図３Ｃ】
本発明の一実施形態のねじの斜視図である。
【図４Ａ】
本発明の一実施形態の取付け具の正面図である。
【図４Ｂ】
本発明の一実施形態の取付け具の側面図である。
【図４Ｃ】
本発明の一実施形態の取付け具の背面図である。
【図４Ｄ】
本発明の一実施形態の取付け具の斜視図である。
【図５Ａ】
クリップを有する一実施形態を示す図である。
【図５Ｂ】
金属リングを有する一実施形態を示す図である。
【図６Ａ】
Ｃクランプを有する一実施形態を示す図である。
【図６Ｂ】
Ｃクランプを有する一実施形態を示す図である。
【図６Ｃ】
Ｃクランプを有する一実施形態を示す図である。
【図７Ａ】
環状アクセスを有する一実施形態を示す図である。
【図７Ｂ】
環状アクセスを有する一実施形態を示す図である。
【図８Ａ】
二つの構成要素に連結される一実施形態を示す図である。
【図８Ｂ】
二つの構成要素に連結される一実施形態を示す図である。
【図８Ｃ】
二つの構成要素に連結される一実施形態を示す図である。
【図１Ａ】
2004520789.tif 000004
【図１Ｂ】
2004520789.tif 000005
【図１Ｃ】
2004520789.tif 000006
【図２Ａ】
2004520789.tif 000007
【図２Ｂ】
2004520789.tif 000008
【図２Ｃ】
2004520789.tif 000009
【図２Ｄ】
2004520789.tif 000010
【図３Ａ】
2004520789.tif 000011
【図３Ｂ】
2004520789.tif 000012
【図３Ｃ】
2004520789.tif 000013
【図４Ａ】
2004520789.tif 000014
【図４Ｂ】
2004520789.tif 000015
【図４Ｃ】
2004520789.tif 000016
【図４Ｄ】
2004520789.tif 000017
【図５Ａ】
2004520789.tif 000018
【図５Ｂ】
2004520789.tif 000019
【図６Ａ】
2004520789.tif 000020
【図６Ｂ】
2004520789.tif 000021
【図６Ｃ】
2004520789.tif 000022
【図７Ａ】
2004520789.tif 000023
【図７Ｂ】
2004520789.tif 000024
【図８Ａ】
2004520789.tif 000025
【図８Ｂ】
2004520789.tif 000026
【図８Ｃ】
2004520789.tif 000027
【国際公開パンフレット】
2004520789.tif 000028
2004520789.tif 000029
2004520789.tif 000030
2004520789.tif 000031
2004520789.tif 000032
2004520789.tif 000033
2004520789.tif 000034
2004520789.tif 000035
2004520789.tif 000036
2004520789.tif 000037
2004520789.tif 000038
2004520789.tif 000039
2004520789.tif 000040
2004520789.tif 000041
2004520789.tif 000042
2004520789.tif 000043
2004520789.tif 000044
2004520789.tif 000045
2004520789.tif 000046
2004520789.tif 000047
2004520789.tif 000048
2004520789.tif 000049
2004520789.tif 000050
【国際公開パンフレット（コレクトバージョン）】
2004520789.tif 000051
【国際調査報告】
2004520789.tif 000052